(57)【要約】【課題】  ＰＣからの再印刷や、自身の蓄積文書の再印刷を容易にすることができる画像形成装置を提供する。【解決手段】  ＰＣ１０１とネットワーク１０３で接続され、ＰＣ１０１からの印刷指示により画像を印刷する際に印刷物にバーコードを付加するバーコード処理手段(バーコード処理部２１４)を備えた画像形成装置１０２を特徴とする。【選択図】  図２
2006027145.tif 000002
【特許請求の範囲】
【請求項１】
ＰＣとネットワークで接続され、ＰＣからの印刷指示により画像を印刷する際に印刷物にバーコードを付加するバーコード処理手段を備えたことを特徴とする画像形成装置。
【請求項２】
請求項１の画像形成装置において、バーコード中の情報として、印刷に用いたＰＣのネットワークアドレス、ＰＣ名、使用者名、印刷したファイルのパス名を用いることを特徴とする画像形成装置。
【請求項３】
請求項１の画像形成装置において、印刷する文書がＷｅｂページであった場合、バーコード中の情報として、当該ＷｅｂページのＵＲＬを用いることを特徴とする画像形成装置。
【請求項４】
請求項２または請求項３の画像形成装置において、バーコード中の情報として、利用者の氏名、電話番号、住所、会社名を含む個人情報を追加して用いることを特徴とする画像形成装置。
【請求項５】
請求項２ないし請求項４の画像形成装置において、バーコード中の情報として、利用者の電子署名を追加して用いることを特徴とする画像形成装置。
【請求項６】
請求項２ないし請求項５の画像形成装置において、バーコード中の情報として、印刷時の印刷オプション情報を追加して用いることを特徴とする画像形成装置。
【請求項７】
請求項２ないし請求項５の画像形成装置において、バーコード中の情報として、印刷時の総ページ数を追加して用いることを特徴とする画像形成装置。
【請求項８】
請求項２または請求項４ないし請求項７の画像形成装置において、印刷した文書中の、バーコードの印刷されたページのみを読み取ることにより、元文書を印刷したＰＣにファイル名を指示して再印刷を行わせることを特徴とする画像形成装置。
【請求項９】
請求項３ないし請求項７の画像形成装置において、印刷した文書中の、バーコードの印刷されたページのみを読み取ることにより、元文書を印刷したＰＣにＵＲＬを指示してＷｅｂページをブラウズし、当該Ｗｅｂページの再印刷を行わせることを特徴とする画像形成装置。
【請求項１０】
請求項１ないし請求項７の画像形成装置において、バーコードを最初のページのみに印刷することを特徴とする画像形成装置。
【請求項１１】
請求項１ないし請求項７の画像形成装置において、バーコードを印刷するページとして、任意の１ページ、あるいは全てのページを選択可能としたことを特徴とする画像形成装置。
【請求項１２】
画像蓄積装置を備え、画像蓄積を行うと同時にコピー操作をした場合に、複写物にバーコードを付加して印刷する機能を有することを特徴とする画像形成装置。
【請求項１３】
請求項１２の画像形成装置において、バーコード中の情報として、画像蓄積装置中の当該文書を識別するための情報を用いることを特徴とする画像形成装置。
【請求項１４】
請求項１２または請求項１３の画像形成装置において、バーコードを最初のページのみに印刷することを特徴とする画像形成装置。
【請求項１５】
請求項１２または請求項１３の画像形成装置において、バーコードを印刷するページとして、任意の１ページ、あるいは全てのページを選択可能としたことを特徴とする画像形成装置。
【請求項１６】
請求項１３ないし請求項１５の画像形成装置において、印刷した文書中の、バーコードの印刷されたページのみを読み取ることにより、画像蓄積装置中に蓄積された文書の全体あるいは指定した一部を印刷することを特徴とする画像形成装置。
【発明の詳細な説明】
【技術分野】
【０００１】
本発明は、複写機、プリンタ、コピー機能およびプリンタ機能さらにはＦＡＸ機能等を併せ持つ複合機などの画像形成装置に関し、特に文書の再印刷技術に関する。
【背景技術】
【０００２】
従来はＰＣにより一度印刷した文書を再度印刷する必要が出た場合には、ＰＣに保存してあるオリジナルファイルを開いて印刷のオプションなどの設定を行い再度印刷操作を行う必要があった。
このような一度印刷した文書の再印刷を簡便にするために、画像形成装置中にＨＤＤ等の記憶装置を備え、一度印刷した文書を保存しておき、再度の印刷の必要があった場合には、記憶装置からデータを取り出し印刷に使用する機能を備える画像形成装置がある。
【発明の開示】
【発明が解決しようとする課題】
【０００３】
一度印刷した文書の再度の印刷にはＰＣから再印刷の指示をする必要があるが、元ファイルを探したり、印刷時の印刷オプションを指定するのは煩雑な処理になる。また、再度の印刷を行えるようにするため、印刷を行う前に記憶装置中に印刷内容を記憶するよう指示をしておく必要がある。
また、記憶装置中に保存されている文書の数が膨大になった場合には、記憶装置中の目的とする文書を探し出すのが困難になってくる。記憶装置に保存されている文書には日付けや時刻などの情報が自動的につけられており、保存するときに文書名もつけることが可能であるが、その場合でも多くの保存文書から目的の文書を探すのは煩雑な作業である。
本発明は、ＰＣからの再印刷や、自身の蓄積文書の再印刷を容易にすることができる画像形成装置を提供することを目的とする。
【課題を解決するための手段】
【０００４】
上記目的を達成するために、請求項１記載の発明は、ＰＣとネットワークで接続され、ＰＣからの印刷指示により画像を印刷する際に印刷物にバーコードを付加するバーコード処理手段を備えた画像形成装置を最も主要な特徴とする。
請求項２記載の発明は、請求項１の画像形成装置において、バーコード中の情報として、印刷に用いたＰＣのネットワークアドレス、ＰＣ名、使用者名、印刷したファイルのパス名を用いる画像形成装置を主要な特徴とする。
請求項３記載の発明は、請求項１の画像形成装置において、印刷する文書がＷｅｂページであった場合、バーコード中の情報として、当該ＷｅｂページのＵＲＬを用いる画像形成装置を主要な特徴とする。
請求項４記載の発明は、請求項２または請求項３の画像形成装置において、バーコード中の情報として、利用者の氏名、電話番号、住所、会社名を含む個人情報を追加して用いる画像形成装置を主要な特徴とする。
請求項５記載の発明は、請求項２ないし請求項４の画像形成装置において、バーコード中の情報として、利用者の電子署名を追加して用いる画像形成装置を主要な特徴とする。
請求項６記載の発明は、請求項２ないし請求項５の画像形成装置において、バーコード中の情報として、印刷時の印刷オプション情報を追加して用いる画像形成装置を主要な特徴とする。
請求項７記載の発明は、請求項２ないし請求項５の画像形成装置において、バーコード中の情報として、印刷時の総ページ数を追加して用いる画像形成装置を主要な特徴とする。
請求項８記載の発明は、請求項２または請求項４ないし請求項７の画像形成装置において、印刷した文書中の、バーコードの印刷されたページのみを読み取ることにより、元文書を印刷したＰＣにファイル名を指示して再印刷を行わせる画像形成装置を主要な特徴とする。
請求項９記載の発明は、請求項３ないし請求項７の画像形成装置において、印刷した文書中の、バーコードの印刷されたページのみを読み取ることにより、元文書を印刷したＰＣにＵＲＬを指示してＷｅｂページをブラウズし、当該Ｗｅｂページの再印刷を行わせる画像形成装置を主要な特徴とする。
【０００５】
請求項１０記載の発明は、請求項１ないし請求項７の画像形成装置において、バーコードを最初のページのみに印刷する画像形成装置を主要な特徴とする。
請求項１１記載の発明は、請求項１ないし請求項７の画像形成装置において、バーコードを印刷するページとして、任意の１ページ、あるいは全てのページを選択可能とした画像形成装置を主要な特徴とする。
請求項１２記載の発明は、画像蓄積装置を備え、画像蓄積を行うと同時にコピー操作をした場合に、複写物にバーコードを付加して印刷する機能を有する画像形成装置を最も主要な特徴とする。
請求項１３記載の発明は、請求項１２の画像形成装置において、バーコード中の情報として、画像蓄積装置中の当該文書を識別するための情報を用いる画像形成装置を主要な特徴とする。
請求項１４記載の発明は、請求項１２または請求項１３の画像形成装置において、バーコードを最初のページのみに印刷する画像形成装置を主要な特徴とする。
請求項１５記載の発明は、請求項１２または請求項１３の画像形成装置において、バーコードを印刷するページとして、任意の１ページ、あるいは全てのページを選択可能とした画像形成装置を主要な特徴とする。
請求項１６記載の発明は、請求項１３ないし請求項１５の画像形成装置において、印刷した文書中の、バーコードの印刷されたページのみを読み取ることにより、画像蓄積装置中に蓄積された文書の全体あるいは指定した一部を印刷することを特徴とする画像形成装置を主要な特徴とする。
【発明の効果】
【０００６】
請求項１では、印刷時に付加されたバーコードを読み取ることにより、印刷時に記録した様々な情報を得ることが可能となる。
請求項２では、印刷時に付加されたバーコードを読み取ることにより、印刷時に使用したＰＣのアドレス、ＰＣ名、使用者名、ファイルのパス名を得ることが可能となり、元ファイルを容易に探索可能となる。
請求項３では、印刷時に付加されたバーコードを読み取ることにより、印刷されたＷｅｂページのＵＲＬを容易に得ることが可能となる。
請求項４では、印刷時に付加されたバーコードを読み取ることにより、印刷を行った利用者の個人情報を容易に得ることが可能となる。
請求項５では、印刷時に付加されたバーコードを読み取ることにより、印刷を行った利用者が確実に特定の人物であることを知ることが可能となる。
請求項６では、印刷時に付加されたバーコードを読み取ることにより、印刷を行ったときの印刷オプションを知ることができ、再印刷時に同じ印刷オプションを使用することが可能となる。
請求項７では、印刷時に付加されたバーコードを読み取ることにより、印刷を行った文書の総ページ数を知ることが可能となり、文書中のページに抜けがないかを確認することが可能となる。
請求項８では、印刷時にバーコードを付加されたページのみを読み取ることにより、元文書を完全な形で印刷することが可能となる。
請求項９では、印刷時にバーコードを付加されたページのみを読み取ることにより、元のＷｅｂページにおける最新の情報を容易に印刷することが可能になる。
請求項１０では、バーコードを文書の表紙に印刷することにより、残りの文書中にバーコードを印刷しないようにすることが可能となる。
請求項１１では、バーコードを上書きで印刷しても元文書の情報が失われないページを選択してバーコードの印刷を行うようにすることが可能となる。また全ページにバーコードを印刷した場合は、１ページでも文書が残っていれば元文書を再印刷することが可能となる。
請求項１２では、コピー時に付加されたバーコードを読み取ることにより、コピー時に記録した様々な情報を得ることが可能となる。
請求項１３では、コピー時に付加されたバーコードを読み取ることにより、蓄積装置内の文書を容易に識別することが可能となる。
請求項１４では、コピー時に最初のページのみを読み取ることにより、最初のページのバーコードにより蓄積装置内の文書を識別し、その文書全体の印刷をすることが可能となる。
請求項１５では、バーコードを上書きで印刷しても元文書の情報が失われないページを選択してバーコードの印刷を行うようにすることが可能となる。また全ページにバーコードを印刷した場合は、１ページでも文書が残っていれば元文書を蓄積装置内から再印刷することが可能となる。
請求項１６では、コピー時に付加されたバーコードを読み取ることにより、蓄積装置内の文書を識別し、その文書全体の印刷をすることが可能となる。
【発明を実施するための最良の形態】
【０００７】
以下、図面を参照して本発明の実施形態を詳細に説明する。
図１は本発明の画像形成装置がネットワーク接続された画像形成システムの構成図である。ＰＣ１０１は画像形成装置１０２とネットワーク１０３を介して接続されている。またネットワーク１０３上の機器はインターネット１０４を通して任意のＷｅｂサイト１０５にアクセス可能になっているものとする。
図２は図１に示す画像形成システムにおけるＰＣ１０１と画像形成装置１０２の内部構成図である。ＰＣ１０１中には、アプリケーション２０１、Ｗｅｂブラウザ２０２、印刷サーバモジュール２０３、プリンタドライバ２０４、ネットワーク制御モジュール２０５といった構成要素が存在する。これらの構成要素は本発明を実施するのに必要なもののみを示したものであり、通常のＰＣの動作に必要なその他の構成要素については省略されている。
画像形成装置１０２中には、スキャナ１１０、プリンタエンジン１１１、ＨＤＤ１１２、スキャナ制御部２１０、プリンタ制御部２１１、ラスタライザ２１２、画像解析部２１３、バーコード処理部２１４、ネットワーク制御モジュール２１５、蓄積画像処理部２１６といった構成要素が存在する。これらの構成要素もＰＣと同様本発明を実施するのに必要なもののみを示したものであり、通常の画像形成装置の動作に必要なその他の構成要素については省略されている。
以下、本発明を実施するための３つの実施例について説明する。
【実施例１】
【０００８】
実施例１では、ＰＣ１０１上の文書を画像形成装置１０２を使用して印刷する場合に、印刷出力の最初のページ上に、出力に使用したファイルのパスや印刷オプションをバーコードの形式として付加しておき、再度その文書を印刷する場合に、文書の１ページ目だけをスキャンすることにより、バーコードの情報を用いて元の文書全体を自動的に印刷できるようにするものである。
本実施例での操作手順は、（１）最初にＰＣ１０１から元文書を印刷する、（２）元文書の１ページ目をスキャンすることで元文書を再度印刷する、という２つの手順に分けられる。この手順に沿って処理内容を説明する。
（１）まず、最初にＰＣ１０１から元文書を印刷する場合の処理の概念を図３に示す。図３におけるＰＣ１０１上のアプリケーション２０１により文書をオープンまたは作成した後、アプリケーション２０１からプリント操作を行う。これによりネットワーク１０３を介して、印刷Ｓ３０２要求が、画像形成装置１０２に対して発行される。これを受けた画像形成装置１０２では、要求を処理し印刷結果である出力文書３０１を印刷する。
この出力文書３０１には最初のページにバーコード（バーコード上３０５、バーコード下３０６）が印刷されている。このバーコードには、出力を行ったＰＣ１０１を識別するための情報、ＰＣ１０１上のファイルを識別するための情報、出力を行ったアプリケーション２０１を識別するための情報、印刷時の印刷オプション情報が含まれている。
バーコードには付加的な情報として日付や時刻、出力したユーザの個人情報（ユーザ名、氏名、電話番号、メールアドレス、会社名）、電子署名を含んでいる場合もある。
このバーコードは１次元バーコードでも２次元バーコードでもよく、印刷場所も文書の上側や下側の通常ヘッダ、フッタと呼ばれる位置に印刷するのが適当であるが、どのような位置に出力してもよい。また、１ページ目に限らず、１ページ目の裏面や２ページ目あるいは最終ページ、最終ページの裏面に出力してもよいし、全てのページに出力することも可能である。
図４にこの元文書印刷の際に必要な処理手順を示す。ＰＣ１０１上において、アプリケーション２０１では、手順Ｓ４０１によりファイルを開き、手順Ｓ４０２により印刷オプションを設定し、手順Ｓ４０３により印刷コマンドを発行する。これらの処理はユーザの操作にしたがって行われるものである。
手順Ｓ４０３により印刷要求が行われると、プリンタドライバ２０４では、手順Ｓ４０４により印刷されたファイル名や印刷オプション等の情報をバーコードとして付加した後、手順Ｓ４０５にてページ記述言語に変換する。そして手順Ｓ４０６が実行されて生成されたデータが画像形成装置１０２に送信される。
ネットワーク１０３を介してこのデータを受信した画像形成装置１０２は、手順Ｓ４０７によりページ記述言語のラスタライズを行い、生成されたイメージはプリンタ制御部２１１において手順Ｓ４０８でプリンタエンジン１１１に送られる。以上の処理により、結果としての文書が印刷される。
【０００９】
（２）次に、元文書のバーコードが印刷された１ページをスキャンすることで元文書を再度印刷する場合の処理の概念を図５に示す。図５においてバーコードを含む文書を画像形成装置１０２によりスキャンすることにより、ＰＣ１０１に対して印刷指示Ｓ５０２が送られ、ＰＣ１０１上では指定された文書の印刷処理を行う。これはＳ５０３として画像形成装置１０２に送られ、元文書全体の再印刷が行われる。
図６にこの処理の際に必要となる手順を示す。画像形成装置１０２においてスキャン操作Ｓ５０１を行うと、スキャナ制御部２１０は手順Ｓ６０１によりスキャナ１１０から画像を読み取る。この画像は画像解析部２１３で手順Ｓ６０２により画像中のバーコードの検出が行われ、バーコードをデコードした結果をバーコード処理部２１４に渡す。
バーコード処理部２１４では手順Ｓ６０３によりコードから再印刷に必要な情報、例えばＰＣ１０１のネットワークアドレス、ＰＣ名、ユーザ名、印刷オプション、認証情報などを抽出する。これらの情報を使用して印刷指示Ｓ５０２がＰＣ１１０に送信される。
ネットワーク１０３を介してこのデータを受信したＰＣ１０１では、印刷サーバモジュール２０３により手順Ｓ６０４で印刷指示Ｓ５０２を解釈し、指定されたアプリケーション２０１に対して指定されたファイルを印刷するように指示する。
アプリケーション２０１はこれを受けて手順Ｓ６０５でファイルを開き印刷を行う。プリンタドライバ２０４ではこの印刷ジョブを指定された印刷オプションを適用して（手順Ｓ６０６）、ページ記述言語に変換し画像形成装置１０２に送信する（手順Ｓ６０７）。
ネットワーク１０３を介してこれを受信した画像形成装置１０２では、ラスタライザ２１２が手順Ｓ６０８によりページ記述言語をラスタライズし、プリンタ制御部２１１によりプリンタエンジン１１１に対して画像出力を行う（手順Ｓ６０９）。バーコードの印刷されたページを１ページスキャンすることにより、そのオリジナル文書全体の印刷が実行される。
【実施例２】
【００１０】
実施例２は、ＰＣ１０１からＷｅｂサイト１０５上のあるＷｅｂページをブラウズし、そのページを、画像形成装置１０２を使用して印刷する場合に、印刷結果の最初のページ上に、出力されたＷｅｂページのＵＲＬや印刷オプションをバーコードの形式として付加しておき、再度そのＷｅｂページを印刷する際には、文書中のバーコードが印刷されている１ページのみをスキャンすることにより、バーコードの情報中のＵＲＬを用いてＰＣ１０１がＷｅｂサイトにアクセスし、そのＷｅｂページを再度自動的に印刷できるようにするものである。
本実施例での操作手順は、（１）最初にＰＣ１０１でＷｅｂページをブラウズしそのＷｅｂページを印刷する、（２）印刷結果中のバーコードの印刷されているページの１ページだけをスキャンすることで、元のＵＲＬのＷｅｂページ全体を再度出力する、という２つの手順に分けられる。この手順に沿って処理内容を説明する。
（１）まず、最初にＰＣ１０１からＷｅｂページを印刷する場合の処理の概念を図７に示す。図７において、ＰＣ１０１はＷｅｂサイト１０５上のＷｅｂページのＷｅｂブラウズＳ７０１を行い、ＰＣ１０１上のブラウザに表示する。そしてＷｅｂブラウザ２０２にて印刷（Ｓ７０２）を行うことにより、ネットワーク１０３を介して印刷要求が画像形成装置１０２に対して送られ、これを受信した画像形成装置１０２では、印刷要求を処理し結果としてＷｅｂページが印刷される。
この出力文書に印刷されるバーコードの内容や印刷位置については実施例１と同様であるが、ファイル名の代わりとしてＷｅｂページのＵＲＬが含まれているものである。
図８にこのＷｅｂページを最初に印刷する際に必要な処理手順を示す。ＰＣ１０１上において、Ｗｅｂブラウザ２０２を使用してＷｅｂのブラウズ（手順Ｓ９０１）を行う。そしてＷｅｂブラウザ２０２において印刷オプションを設定し（手順Ｓ９０２）、手順Ｓ９０３の印刷コマンドを実行する。これらの処理はＰＣ１０１のユーザの操作にしたがって行われるものである。
手順Ｓ９０３により印刷要求が行われると、プリンタドライバ２０４では、手順Ｓ９０４によりＵＲＬや印刷オプション等の情報をバーコードとして付加した後、手順Ｓ９０５にてページ記述言語に変換される。そして手順Ｓ９０６により印刷要求が画像形成装置１０２に送信される。
ネットワーク１０３を介してこのデータを受信した画像形成装置１０２は、手順Ｓ９０７によりページ記述言語のラスタライズを行い、生成されたイメージはプリンタ制御部２１１において手順Ｓ９０８でプリンタエンジン１１１に送られる。以上の処理により、結果としての文書が印刷される。
【００１１】
（２）次に、バーコードの印刷されているページの１ページだけをスキャンすることで、元のＵＲＬのＷｅｂページ全体を再度印刷する場合の処理の概念を図９に示す。図９においてバーコードを含むページを画像形成装置１０２によりスキャンする（Ｓ８０１）ことにより、ＰＣ１０１に対してＷｅｂのブラウズおよび印刷指示が送られ（Ｓ８０２）、ＰＣ１０１では指定されたＵＲＬのＷｅｂブラウズを行い（Ｓ８０３）、そのＷｅｂページの印刷処理を行う（Ｓ８０４）。これにより画像形成装置１０２は元のＵＲＬにおけるＷｅｂページ全体の再印刷を行う。
図１０にこの処理の際に必要となる手順を示す。画像形成装置１０２においてスキャン操作Ｓ８０１を行うと、スキャナ制御部２１０は手順Ｓ１００１によりスキャナ１１０から画像を読み取る。この画像は画像解析部２１３で手順Ｓ１００２により画像中のバーコードの検出が行われ、バーコードをデコードした結果をバーコード処理部２１４に渡す。
バーコード処理部２１４では手順Ｓ１００３によりコードから再印刷に必要な情報、例えばＰＣのネットワークアドレス、ＰＣ名、ユーザ名、ＵＲＬ名、印刷オプション、認証情報などを抽出する。これらの情報を使用してＵＲＬ印刷指示Ｓ８０２がＰＣ１１０に送信される。
ネットワーク１０３を介してこのデータを受信したＰＣ１０１では、印刷サーバモジュール２０５により手順Ｓ１００４でＵＲＬ印刷指示Ｓ８０２を解釈し、Ｗｅｂブラウザ２０２により指定されたＵＲＬをブラウズし、印刷するように指示する。
Ｗｅｂブラウザ２０２はこれを受けて手順Ｓ１００５で指定されたＵＲＬをブラウズし、印刷処理を行う。プリンタドライバ２０４ではこの印刷ジョブを、指定された印刷オプションを適用して（手順Ｓ１００６）、ページ記述言語に変換し画像形成装置１０２に送信する（手順Ｓ１００７）。
ネットワーク１０３を介してこれを受信した画像形成装置１０２では、ラスタライザ２１２が手順Ｓ１００８によりページ記述言語をラスタライズし、プリンタ制御部２１１によりプリンタエンジン１１１に対して画像出力を行う（手順Ｓ１００９）。バーコードの印刷されているページの１ページだけをスキャンすることで、元のＵＲＬにおけるＷｅｂページ全体の再印刷が行われる。
【実施例３】
【００１２】
実施例３は、画像形成装置１０２で文書蓄積を行いつつ文書をコピーした場合に、コピー結果の最初のページ上に蓄積文書を識別する情報を含むバーコードを上書きして印刷し、再度その文書を印刷する際には、文書中のバーコードが印刷されている１ページのみをスキャンすることにより、バーコード中の蓄積文書を識別する情報を用いて、蓄積されている文書の中から元文書を選び、その文書全体を自動的に印刷できるようにするものである。
本実施例での操作手順は、（１）最初に文書を蓄積しながらコピーを行う、（２）コピー結果中のバーコードの印刷されているページをスキャンすることで、蓄積文書から元の文書を選び再度出力する、という２つの手順に分けられる。この手順に沿って処理内容を説明する。
（１）まず、最初に文書を蓄積しながらコピーを行う場合の処理の概念を図１１に示す。図１１において、画像形成装置１０２（ネットワーク接続されていなくてもよい）は、元文書をスキャンし（Ｓ１１０１）、記憶装置に画像を蓄積しながらその画像を印刷する（Ｓ１１０２）ことによりコピーが行われる。
この出力文書に印刷されるバーコードの内容や印刷位置については実施例１と同様であるが、ファイル名の代わりとして蓄積文書の識別情報が含まれているものである。
図１２に、最初に文書を蓄積しながらコピーを行う際に必要な処理手順を示す。画像形成装置１０２においてスキャン操作Ｓ１１０１を行うと、スキャナ制御部２１０は手順Ｓ１３０１によりスキャナ１１０から画像を読み取る。この画像は画像解析部２１３によりバーコードの検出を試みるがバーコードの検出に失敗する（Ｓ１３０２）。
その後、バーコード処理部２１４により、蓄積文書の識別情報やその他の情報をバーコードにして画像に上書きし（Ｓ１３０３）、プリンタ制御部２１１によりプリンタエンジン１１１に送る。また、画像解析部２１３はこの画像を蓄積画像処理部２１６に渡し記憶装置に蓄積する。以上の処理により、文書の蓄積とコピーが行われる。
【００１３】
（２）次に、コピー結果中のバーコードの印刷されているページをスキャンすることで、蓄積文書から元の文書を選び再度出力する場合の処理の概念を図１３に示す。図１３においてバーコードを含むページを画像形成装置１０２によりスキャンする（Ｓ１２０１）ことにより、蓄積文書の中からバーコードの識別情報を使用して文書を選択し、その文書全体の再印刷を行い印刷結果（Ｓ１２０２）を得る。
画像形成装置１０２において、スキャン操作Ｓ１２０１を行うと、スキャナ制御部２１０は手順Ｓ１３１０によりスキャナ１１０から画像を読み取る。この画像は画像解析部２１３で手順Ｓ１３１１により画像中のバーコードの検出が行われ、バーコードをデコードした結果をバーコード処理部２１４に渡す。
バーコード処理部２１４では手順Ｓ１３１２によりコードから再印刷に必要な蓄積装置中の文書の識別情報を抽出する。蓄積画像処理部２１６は手順Ｓ１３１３により、識別情報を用いて画像を選択し、ＨＤＤ１１２より画像情報を取り出し、プリンタ制御部２１１によりプリンタエンジン１１１に対して画像出力を行う（手順Ｓ１３１４）。コピー結果中のバーコードの印刷されているページをスキャンすることで、蓄積文書から元の文書を選び再度印刷が実行される。
【００１４】
以上説明したように、本発明では、ＰＣ１０１からの印刷時にはＰＣ１０１上のファイルを特定するための情報（ＰＣ１０１のネットワークアドレス、ファイルのパス名、印刷オプション等）として、印刷物の最初のページに１次元あるいは２次元のバーコードを印刷しておく。
この文書を再度印刷したい場合には、スキャナ１１０に元文書の１ページ目を置き、再度印刷を行うことの指定と、印刷部数をセットし、スタートキーを押すという操作をする。
これにより元文書のバーコードを読み取り、その情報から元文書と印刷オプションを判定し、その情報を元のＰＣ１０１に送信することにより、そのＰＣ１０１からの印刷操作を行わせる。
また、Ｗｅｂページを印刷した場合には、最初のページにＵＲＬを埋め込んだバーコードを印刷しておき、そのＷｅｂページを再度印刷したい場合には、スキャナ１１０に元文書の１ページ目を置き、再度印刷を行うことの指定と、印刷部数をセットし、スタートキーを押すという操作をする。
これにより元文書のバーコードを読み取り、その情報から元文書のＵＲＬと印刷オプションを判定し、その情報を元のＰＣ１０１に送信することにより、そのＰＣ１０１からＷｅｂブラウズを行い、印刷操作を行わせる。
あるいは、一度コピーした文書を再度印刷する場合、最初のコピー時に記憶装置中に蓄積されている文書の識別番号を、コピーの最初のページに１次元あるいは、２次元バーコードとして印刷しておく。
再度コピーしたい場合には、スキャナ１１０に元コピー文書の１ページ目を置き、再度印刷を行うことの指定と、コピー部数をセットし、スタートキーを押すことにより、スキャナ１１０からバーコードの情報が読み取られ、蓄積文書を判別し、指定された部数のコピーを出力することが可能となる。
【図面の簡単な説明】
【００１５】
【図１】本発明の画像形成装置がネットワーク接続された画像形成システムの構成図である。
【図２】図１に示す画像形成システムにおけるＰＣ１０１と画像形成装置１０２の内部構成図である。
【図３】ＰＣから元文書を印刷する場合の処理の概念を示す図である。
【図４】ＰＣから元文書を印刷する場合の処理手順を示す図である。
【図５】元文書のバーコードが印刷された１ページをスキャンすることで元文書を再度印刷する場合の処理の概念を示す図である。
【図６】元文書のバーコードが印刷された１ページをスキャンすることで元文書を再度印刷する場合の処理手順を示す図である。
【図７】ＰＣからＷｅｂページを印刷する場合の処理の概念を示す図である。
【図８】ＰＣからＷｅｂページを印刷する場合の処理手順を示す図である。
【図９】バーコードの印刷されているページの１ページだけをスキャンすることで、元のＵＲＬのＷｅｂページ全体を再度印刷する場合の処理の概念を示す図である。
【図１０】バーコードの印刷されているページの１ページだけをスキャンすることで、元のＵＲＬのＷｅｂページ全体を再度印刷する場合の処理手順を示す図である。
【図１１】文書を蓄積しながらコピーを行う場合の処理の概念を示す図である。
【図１２】文書を蓄積しながらコピーを行う場合の処理手順を示す図である。
【図１３】コピー結果中のバーコードの印刷されているページをスキャンすることで、蓄積文書から元の文書を選び再度出力する場合の処理の概念を示す図である。
【符号の説明】
【００１６】
１０１  ＰＣ
１０２  画像形成装置
１１０  スキャナ
１１１  プリンタエンジン
１１２  ＨＤＤ
２１０  スキャナ制御部
２１１  プリンタ制御部
２１２  ラスタライザ
２１３  画像解析部
２１４  バーコード処理部
２１５  ネットワーク制御モジュール
２１６  蓄積画像処理部
【図１】
2006027145.tif 000003
【図２】
2006027145.tif 000004
【図３】
2006027145.tif 000005
【図４】
2006027145.tif 000006
【図５】
2006027145.tif 000007
【図６】
2006027145.tif 000008
【図７】
2006027145.tif 000009
【図８】
2006027145.tif 000010
【図９】
2006027145.tif 000011
【図１０】
2006027145.tif 000012
【図１１】
2006027145.tif 000013
【図１２】
2006027145.tif 000014
【図１３】
2006027145.tif 000015